(57)【特許請求の範囲】
【請求項１】
ファンカバーにファンモータが収容されたファンユニットを備える電子機器であって、
前記ファンカバーは、
前記ファンモータが内周に収容される弾性を有した枠体であり、
前記枠体の対向する部分に形成された一対の切り込み部を有し、
前記切り込み部は、切り込みが広がる方向に前記ファンカバーが弾性的に折り曲げ変形されたときに、前記ファンカバーにおける前記切り込み部を境とした一方の部分に対して前記ファンモータの挿入が可能な深さで形成されることを特徴とする電子機器。
【請求項２】
前記切り込み部に隣接して形成されて、前記ファンカバーの折り曲げ変形の回転支軸となる弾性ヒンジ部を備えたことを特徴とする請求項１記載の電子機器。
【請求項３】
前記ファンユニットは、前記ファンカバーの前記切り込み部が形成された側とは逆側の面を筐体内壁に接触させて筐体内に固定されることを特徴とする請求項１または請求項２記載の電子機器。
【請求項４】
前記ファンカバーは、前記切り込み部を境とした前記一方の部分であるカバー本体部と、前記切り込み部を境としたもう一方の部分であり、前記ファンカバーの折り曲げ変形によって前記カバー本体部に対して開閉する開閉部とから構成され、
前記開閉部を押圧して筐体内に前記ファンユニットを固定する押圧部材を備えたことを特徴とする請求項１から請求項３のうちのいずれか１項記載の電子機器。
【請求項５】
前記ファンカバーは、前記押圧部材によって押圧される部位に凸部を有することを特徴とする請求項４記載の電子機器。
【請求項６】
筐体内に形成された筐体側係合部と、
前記ファンカバーに形成されて、前記ファンユニットが筐体内に配置されたときに前記筐体側係合部と係合して前記ファンユニットを固定するカバー側係合部とを備えたことを特徴とする請求項１から請求項５のうちのいずれか１項記載の電子機器。
【請求項７】
前記ファンカバーは、前記枠体の開口縁部から内側へ張り出して、前記ファンモータが前記枠体から抜ける動きを規制する規制片を有することを特徴とする請求項１から請求項６のうちのいずれか１項記載の電子機器。
【請求項８】
前記ファンカバーは、前記切り込み部を境とした前記一方の部分であるカバー本体部と、前記切り込み部を境としたもう一方の部分であり、前記ファンカバーの折り曲げ変形によって前記カバー本体部に対して開閉する開閉部とから構成され、
前記規制片は、前記開閉部に形成されることを特徴とする請求項７記載の電子機器。
【発明の詳細な説明】
【技術分野】
【０００１】
この発明は、ファンの回転で吸排気される空気によって機器内部を冷却する電子機器に関する。
【背景技術】
【０００２】
従来から、上記のような電子機器において、ファンの回転で発生した振動が筐体に伝達されることで、ファンを回転させている間、騒音が発生するという不具合があった。
これに対して、例えば、特許文献１に記載される電子機器では、ファンの回転に伴った騒音を低減するために、ファンモータにファンカバーを装着して筐体に取り付けている。
このファンカバーは、弾性材料で形成されてファンモータが弾性的に支持されるので、ファンモータから筐体への振動の伝達を抑制または防止することができる。
【０００３】
また、特許文献２には、ファンモータから筐体へ振動が伝達されるのを防止することができる取り付け具が記載されている。この取り付け具には、ファンモータの外形をなすフレームの四隅に嵌合可能な凹部が形成されている。
ファンモータは、４個の取り付け具をフレームの四隅にそれぞれ嵌合させた状態で筐体の取り付け部に挿入され、これらの取り付け具を介して筐体に固定される。これにより、取り付け具が振動を吸収して筐体への伝達が防止される。
【先行技術文献】
【特許文献】
【０００４】
【特許文献１】特開２０００−２３２２７６号公報
【特許文献２】特開２００１−３１３４８３号公報
【発明の概要】
【発明が解決しようとする課題】
【０００５】
特許文献１に記載されるファンカバーは、フレームの外周面を覆うようにファンモータを収容する枠体であり、この枠体の前後の開口縁部には内側に張り出した片部が形成されている。ファンカバーに収容されたファンモータは、上記片部によって前後の動きが規制されるので、ファンカバーからの脱落が防止される。
【０００６】
しかしながら、上記片部は、ファンカバーの開口縁部から内側に張り出しているので、ファンモータをファンカバーに取り付けるときの妨げとなる。
すなわち、ファンカバーの開口からファンモータを挿入する際に、上記片部を弾性変形させながらファンモータを押し込む必要がある。このとき、ファンモータのモータ本体部に外力を加えてしまうと、フレームに対するモータ本体部の取り付け姿勢に歪みが生じるか、あるいはモータ本体部がフレームから外れる可能性もある。
このため、ファンモータを押し込む力を、モータ本体部以外の薄いフレーム部分に印加する必要があり、取り付け作業性が悪い。
【０００７】
特許文献２に記載される従来の技術は、１つのファンモータに対して４個の取り付け具が必要であり、取り扱う部品の点数が常に多くなる。
また、４個の取り付け具をファンモータのフレームの四隅にそれぞれ嵌合し、この状態を保って筐体内に挿入する必要があるため、特許文献１と同様に取り付け作業性が悪い。
【０００８】
この発明は上記の課題を解決するもので、取り付け作業性が良好なファンカバーを使用してファンモータから筐体への振動の伝達を防止することができる電子機器を得ることを目的とする。
【課題を解決するための手段】
【０００９】
この発明に係る電子機器は、ファンカバーにファンモータが収容されたファンユニットを備える。ファンカバーは、ファンモータが内周に収容される弾性を有した枠体であり、枠体の対向する部分に形成された一対の切り込み部を有する。切り込み部は、切り込みが広がる方向にファンカバーが弾性的に折り曲げ変形されたときに、ファンカバーにおける切り込み部を境とした一方の部分に対してファンモータの挿入が可能な深さで形成されている。
【発明の効果】
【００１０】
この発明によれば、ファンカバーを折り曲げてからファンモータを挿入する簡単な作業でファンモータとファンカバーの取り付けが可能であり、取り付け作業性が向上する。
また、弾性を有したファンカバーにファンモータが収容されるので、ファンモータから筐体への振動の伝達を防止することができる。
【図面の簡単な説明】
【００１１】
【図１】この発明の実施の形態１に係る電子機器を示す図である。図１（ａ）は、電子機器の斜視図であり、図１（ｂ）は、図１（ａ）の電子機器の分解斜視図である。
【図２】実施の形態１に係る電子機器のファンユニットを示す斜視図である。
【図３】実施の形態１に係る電子機器のファンカバーを示す斜視図である。図３（ａ）は、ファンカバーの開閉部を閉じた状態、図３（ｂ）は、ファンカバーの開閉部を開けた状態を示している。
【図４】弾性ヒンジ部が形成されたファンカバーを示す斜視図である。図４（ａ）は、ファンカバーの開閉部を閉じた状態、図４（ｂ）は、ファンカバーの開閉部を開けた状態を示している。
【図５】ファンカバーへのファンモータの取り付けを示す図である。
【図６】開閉部に規制片が形成されたファンカバーを示す斜視図である。
【図７】筐体内におけるファンユニットの取り付け部を示す斜視図である。
【図８】筐体内へのファンユニットの取り付けを示す図であって、図８（ａ）は、ファンユニットの取り付け途中の状態、図８（ｂ）は、ファンユニットの取り付けを完了した状態を示している。
【図９】開閉部に凸部が形成されたファンカバーを示す斜視図である。
【図１０】筐体内へのファンユニットの取り付けを示す図であって、図１０（ａ）は、図９のファンカバーを有するファンユニットの取り付け途中の状態、図１０（ｂ）は、このファンユニットの取り付けを完了した状態を示している。
【発明を実施するための形態】
【００１２】
実施の形態１．
図１は、この発明の実施の形態１に係る電子機器１を示す図であり、図１（ａ）は電子機器１の斜視図、図１（ｂ）は電子機器１の分解斜視図である。なお、図１（ｂ）において、筐体２におけるファンユニット４以外の部品の記載を省略している。
電子機器１は、例えば、車両に搭載されるナビゲーション装置などで実現される。電子機器１において、筐体２に天蓋３を組み付けて構成される空間内には、ファンユニット４が取り付けられる。
【００１３】
ファンユニット４には、ファンモータ５がファンカバー６に収容されており、ファンモータ５がファンを回転させることで、通風口２ａから空気を吸い込み、通風口２ｂから空間内の熱を空気とともに排出する。ただし、電子機器１の仕様に応じて、通風口２ｂから空気を吸い込み、通風口２ａから排出するようにファンユニット４を配置してもよい。
また、弾性を有したファンカバー６は、ファンモータ５の駆動に伴って発生した振動を吸収して筐体２への振動の伝達を防止する。
【００１４】
図２は電子機器１のファンユニット４を示す斜視図である。また、図３は電子機器１のファンカバー６を示す斜視図であって、図３（ａ）はファンカバー６の開閉部６ｂ−２を閉じた状態、図３（ｂ）はファンカバー６の開閉部６ｂ−２を開けた状態を示している。
ファンユニット４は、図２に示すようにファンモータ５およびファンカバー６を備えて構成される。
【００１５】
ファンモータ５は、モータ本体部５ａおよびフレーム５ｂを備える。モータ本体部５ａは、モータの回転軸にファンが一体的に取り付けられ、リード線５ｃおよびコネクタ５ｄを介して電源が供給されてファンを回転させる。また、フレーム５ｂは、四角形の枠体で構成されており、モータ本体部５ａは、フレーム５ｂの開口周縁部から内側に延びた支持枝によって支持される。
【００１６】
ファンカバー６は、図２に示すようにファンモータ５が内周に収容される枠体であり、ファンモータ５で発生した振動を吸収するようにゴム、エラストマといった弾性材料から構成される。なお、ファンカバー６は適度な弾性を有したゴム状の弾性体であればよい。
【００１７】
また、ファンカバー６を構成する枠体の対向する部分には、図３（ａ）に示すように、枠体を幅方向に切り込んで形成された一対の切り込み部６ａ，６ａが設けられる。
ファンカバー６は、一対の切り込み部６ａ，６ａを結んだ線によって２つの部分に分けられ、切り込み部６ａを境とした一方の部分がカバー本体部６ｂ−１であり、もう一方の部分が開閉部６ｂ−２である。
【００１８】
カバー本体部６ｂ−１は、ファンカバー６においてファンモータ５を収容保持する部分であり、図３（ａ）のように、四角形の枠体のほぼ３辺の部分を占めている。
すなわち、カバー本体部６ｂ−１は、開閉部６ｂ−２に対向する底面部６ｃと、開閉部６ｂ−２と連結した側面部６ｅ，６ｅとを備える。
底面部６ｃには、切り欠き部６ｃ−１と凸部６ｄが形成されている。リード線５ｃは、図２に示すように切り欠き部６ｃ−１を通してファンユニット４の外部に取り出される。
なお、凸部６ｄについては、図８を用いて後述する。
【００１９】
また、開閉部６ｂ−２は、カバー本体部６ｂ−１に対して開閉する部分である。
例えば、図３（ａ）に示す矢印Ａの方向、すなわち切り込み部６ａの切り込みが広がる方向にファンカバー６を弾性的に折り曲げ変形させることによって、開閉部６ｂ−２は、図３（ｂ）に示すように、カバー本体部６ｂ−１に対して開いた状態となる。このとき、カバー本体部６ｂ−１に繋がる連結部分の弾性復元力によって、開閉部６ｂ−２は、図３（ｂ）に示す矢印Ｂの方向に自然と閉じて、図３（ａ）のカバー本体部６ｂ−１に対して閉じた状態に戻る。
【００２０】
この発明では、開閉部６ｂ−２を開けた状態で、ファンモータ５をカバー本体部６ｂ−１にスライド挿入して取り付ける。このため、切り込み部６ａは、切り込みが広がる方向にファンカバー６を弾性的に折り曲げ変形させて開閉部６ｂ−２を開いたときに、カバー本体部６ｂ−１に対してファンモータ５の挿入が可能な深さで形成されている。
すなわち、切り込み部６ａは、開閉部６ｂ−２を開けたときに、ファンカバー６を構成する枠体の一つの側面部分が開く程度の深さで切り込まれている。
【００２１】
カバー本体部６ｂ−１の側面部６ｅには、切り込み部６ａの他に、テーパ部６ｆ−１と係合凹部６ｆ−２が形成されている。テーパ部６ｆ−１と係合凹部６ｆ−２については、図８を用いて後述する。また、カバー本体部６ｂ−１には、図３（ａ）に示すように規制片６ｇ，６ｈ，６ｉ，６ｊが設けられる。
【００２２】
規制片６ｇは、ファンカバー６を構成する枠体の開口縁部から内側へ張り出した片部であり、底面部６ｃを介して隣り合うコーナーにそれぞれ設けられる。規制片６ｈは、規制片６ｇと同様に上記枠体の開口縁部から内側へ張り出した片部であり、側面部６ｅに形成される。また、規制片６ｉは、上記と同様にファンカバー６を構成する枠体の開口縁部から内側へ張り出した片部であり、底面部６ｃを介して隣り合うコーナーかつ規制片６ｇと対向する面に形成される。規制片６ｊは、上記枠体の開口縁部から内側へ張り出した片部であり、側面部６ｅにおける、規制片６ｈと対向する面に形成されている。
【００２３】
規制片６ｇ，６ｈと規制片６ｉ，６ｊとは、カバー本体部６ｂ−１の対向する面に形成されており、カバー本体部６ｂ−１に収容されたファンモータ５のフレーム５ｂに対して前後から接触する。すなわち、ファンモータ５は、規制片６ｇ，６ｈと規制片６ｉ，６ｊによって前後から挟持されることにより、ファンカバー６を構成する枠体の開口から抜ける動きが規制される。
【００２４】
図４は、弾性ヒンジ部６ｋが形成されたファンカバー６Ａを示す斜視図である。図４（ａ）は開閉部６ｂ−２を閉じた状態、図４（ｂ）は開閉部６ｂ−２を開けた状態を示している。図５は、ファンカバー６Ａへのファンモータ５の取り付けを示す図である。
図４（ａ）に示すように、ファンカバー６Ａは、図３に示したファンカバー６の構成に加えて、弾性ヒンジ部６ｋを有する。
【００２５】
弾性ヒンジ部６ｋは、切り込み部６ａに隣接して形成されて、ファンカバー６Ａの折り曲げ変形における回転支軸となる。例えば、図４（ａ）に示すように、切り込み部６ａに隣接した規制片６ｊ上に設けられる。すなわち、開閉部６ｂ−２は、矢印Ａの方向に力が加えられると、弾性ヒンジ部６ｋを回転支軸として回転して、図４（ｂ）に示すように、カバー本体部６ｂ−１に対して開いた状態となる。
このように回転支軸となる弾性ヒンジ部６ｋを設けることで、カバー本体部６ｂ−１に対して開閉部６ｂ−２を容易に開閉させることができる。
【００２６】
次に、ファンカバー６Ａへのファンモータ５の取り付けについて説明する。
従来では、ファンカバーを構成する枠体の開口側からファンモータを挿入して取り付けていた。このため、脱落防止用の規制片を弾性変形させながらファンモータを押し込んでいく必要があり、取り付け作業性が悪かった。
【００２７】
これに対して、この発明では、まず、図５に示すように、切り込み部６ａの切り込みが広がる方向にファンカバー６Ａを弾性的に折り曲げ変形させて、開閉部６ｂ−２が開いた状態とする。開閉部６ｂ−２が開いた状態では、ファンカバー６Ａを構成する枠体の一つの側面部分が開いている。ファンモータ５を、この開いた側面部分からカバー本体部６ｂ−１にスライド挿入して取り付ける。カバー本体部６ｂ−１にファンモータ５が収容されると、弾性ヒンジ部６ｋの弾性復元力によって開閉部６ｂ−２が自然に閉じる。
【００２８】
また、ファンモータ５は、モータ本体部５ａの回転軸に垂直な方向にスライドされてカバー本体部６ｂ−１に挿入される。このとき、挿入方向へ押し込む力は、フレーム５ｂの外周面に印加される。すなわち、この発明は、ファンモータ５におけるモータ本体部５ａが露出した側に力を加える作業が不要であるので、モータ本体部５ａに誤って力を加えたことによる不具合の発生を低減できる。
【００２９】
このように、この発明では、ファンカバー６Ａを折り曲げてファンモータ５を挿入するだけの簡単な作業で取り付けが可能であり、従来に比べて取り付け作業性が格段に向上する。なお、図５ではファンカバー６Ａへのファンモータ５の取り付けを示したが、図３に示したファンカバー６であっても同様の効果を得ることができる。
【００３０】
図６は、開閉部６ｂ−２に規制片６ｌが形成されたファンカバー６Ｂを示す斜視図である。図６において、規制片６ｌは、ファンカバー６Ｂの開口の開閉部６ｂ−２に対応する縁部から内側へ張り出した片部であり、開閉部６ｂ−２が閉じた状態でファンモータ５に接触する。これにより、ファンモータ５は、開閉部６ｂ−２において抜け止めされ、ファンカバー６Ｂからの脱落が防止される。
なお、規制片６ｌは、カバー本体部６ｂ−１における規制片６ｇ，６ｈ，６ｉ，６ｊと組み合わせて設けてもよく、規制片６ｈの代わりに設けてもよい。
【００３１】
次に、ファンユニット４の筐体２への取り付けについて説明する。
図７は、筐体２内におけるファンユニット４の取り付け部を示す斜視図である。図７に示すように、ファンユニット４は、筐体２の側面に形成された通風口２ｂに面した位置に取り付けられる。また、通風口２ｂがある側面部には２つの係合片部２ｃが設けられる。
２つの係合片部２ｃの配置間隔は、ファンカバー６の側面部６ｅにそれぞれ形成された係合凹部６ｆ−２の底部同士の間隔と等しいか、これよりも若干小さくなっている。
受け部２ｄは、通風口２ｂがある側面部に設けられた板状部材であり、その中央部分に切り欠き部２ｄ−１が形成されている。
【００３２】
図８は、筐体２内へのファンユニット４の取り付けを示す図であって、図８（ａ）は、ファンユニット４の取り付け途中の状態、図８（ｂ）は、ファンユニット４の取り付けを完了した状態を示している。図８（ａ）に示すように、ファンユニット４は、底面部６ｃを筐体２の底面２Ａに向けて２つの係合片部２ｃの間を通るように挿入される。
側面部６ｅにそれぞれ形成されたテーパ部６ｆ−１の最も高い部分同士の間隔は、２つの係合片部２ｃの配置間隔よりも若干大きくなるように形成されている。
このため、ファンユニット４を挿入していくと、テーパ部６ｆ−１の傾斜面に接触する係合片部２ｃは、テーパ部６ｆ−１の最も高い部分に向かうにつれて徐々に撓む。
【００３３】
この後、図８（ｂ）に示すように、ファンユニット４が受け部２ｄに当接するまで挿入されると、凸部６ｄが、切り欠き部２ｄ−１を通して底面２Ａに接触する。
このとき、テーパ部６ｆ−１の最も高い部分が係合片部２ｃを通過する。
前述したように、２つの係合片部２ｃの配置間隔は、係合凹部６ｆ−２の底部同士の間隔と等しいか、若干小さくなっている。従って、係合片部２ｃは、それまでの撓みが開放された状態となって係合凹部６ｆ−２に嵌合する。
【００３４】
係合片部２ｃが係合凹部６ｆ−２に嵌合することで、ファンユニット４は、上下方向に抜け止めされる。さらに、係合片部２ｃの鍵状の端部が、係合凹部６ｆ−２の側面に当接するので、ファンユニット４は前後方向にも抜け止めされる。
このように係合片部２ｃと係合凹部６ｆ−２が係合することで、ファンユニット４は、筐体２内でガタなく仮固定される。
【００３５】
ファンユニット４において切り込み部６ａが形成された側の逆側の面を第１の面とした場合、開閉部６ｂ−２を開くと、開閉部６ｂ−２が第１の面から突出した状態となる。
換言すると、第１の面から突出しないように開閉部６ｂ−２を規制すると、開閉部６ｂ−２が閉まった状態を維持することができる。
【００３６】
そこで、この発明では、ファンユニット４を筐体２内に挿入するときに上記第１の面を筐体２の側面部に接触させている。これにより、開閉部６ｂ−２が開いた状態でファンユニット４が挿入されても、筐体２の側面部によって押されて、開閉部６ｂ−２が閉じ位置に戻される。従って、開閉部６ｂ−２が確実に閉じた状態でファンユニット４を筐体２内に取り付けることができる。
【００３７】
なお、ファンユニット４の第１の面を筐体２の側面部に接触させる場合を説明したが、これに限定されるものではない。例えば、第１の面と筐体２の側面部は、この側面部から開閉部６ｂ−２を閉じ位置に戻す力が伝わる程度の間隔が空いていてもよい。
すなわち、前述した接触には、第１の面と筐体２の側面部とが接触する場合に加えて、上記間隔が空いた状態も含まれる。
【００３８】
また、筐体２内に取り付けたファンユニット４を別部材で押圧固定してもよい。
図９は開閉部６ｂ−２に凸部６ｍが形成されたファンカバー６Ｃを示す斜視図である。図９において、凸部６ｍは、開閉部６ｂ−２の天面部に設けられた凸部である。
図１０は筐体２内へのファンユニット４の取り付けを示す図である。図１０（ａ）は、ファンカバー６Ｃを有するファンユニット４の取り付け途中の状態を示しており、図１０（ｂ）は、このファンユニット４の取り付けを完了した状態を示している。
図１０において、ファンユニット４を押圧する部材は、筐体２に組み付けられる天蓋３である。
【００３９】
図７、図８を用いて前述した取り付けを行うことで、ファンユニット４は、図１０（ａ）に示すような状態で筐体２内に仮固定される。天蓋３は、図１０（ｂ）に示すように、開閉部６ｂ−２の天面側に配置されて筐体２に組み付けられる。
このとき、ファンユニット４は、天蓋３によって底面２Ａへ向けて常に押圧された状態となり、筐体２内に強固に固定される。
【００４０】
なお、凸部６ｍを介さず、天蓋３が開閉部６ｂ−２の天面部を直接押圧してもよいが、この場合、天蓋３からの押圧力によってファンユニット４全体が圧縮することになる。
従って、天蓋３から大きな押圧力が印加された場合に、圧縮幅を吸収しきれず、ファンユニット４が歪んでしまう可能性がある。
そこで、凸部６ｍを介して天蓋３が開閉部６ｂ−２を押圧することにより、凸部６ｍが圧縮する分だけ、ファンユニット４を押圧固定したときの圧縮幅を吸収しやすくなる。
【００４１】
以上のように、実施の形態１に係る電子機器１は、ファンカバー６を介してファンモータ５が筐体２内に固定される。ファンカバー６は、ファンモータ５が内周に収容される弾性を有した枠体であり、枠体の対向する部分に形成された一対の切り込み部６ａを有する。切り込み部６ａは、切り込みが広がる方向にファンカバー６が弾性的に折り曲げ変形されたときに、ファンカバー６における切り込み部６ａを境とした一方の部分に対してファンモータ５の挿入が可能な深さで形成されている。
このように、ファンカバー６を折り曲げてからファンモータ５を挿入する簡単な作業によってファンモータ５とファンカバー６の取り付けが可能であり、取り付け作業性が向上する。また、弾性を有したファンカバー６にファンモータ５が収容されるので、ファンモータ５から筐体２への振動の伝達を防止することができる。
【００４２】
また、実施の形態１に係る電子機器１において、ファンカバー６Ａは、切り込み部６ａに隣接して形成されて、ファンカバー６Ａの折り曲げ変形の回転支軸となる弾性ヒンジ部６ｋを備える。この構成を有することにより、カバー本体部６ｂ−１に対して開閉部６ｂ−２を容易に開閉させることができる。
【００４３】
さらに、実施の形態１に係る電子機器１において、ファンユニット４が、ファンカバー６の切り込み部６ａが形成された側とは逆側の面を筐体２の内壁に接触させて筐体２内に固定される。このように構成することで、開閉部６ｂ−２が確実に閉じた状態で、ファンユニット４を筐体２内に取り付けることができる。
【００４４】
さらに、実施の形態１に係る電子機器１において、開閉部６ｂ−２を押圧して筐体２内にファンユニット４を固定する天蓋３を備える。この構成を有することで、ファンユニット４を筐体２内に強固に固定することができる。
【００４５】
さらに、実施の形態１に係る電子機器１において、ファンカバー６Ｃは、天蓋３によって押圧される部位に凸部６ｍを有する。これにより、天蓋３が、凸部６ｍを介して開閉部６ｂ−２を押圧するので、凸部６ｍが圧縮する分だけ、ファンユニット４を押圧固定したときの圧縮幅を吸収しやすくなる。
【００４６】
さらに、実施の形態１に係る電子機器１は、係合片部２ｃと係合凹部６ｆ−２とを備える。係合片部２ｃは筐体２内に形成される。係合凹部６ｆ−２は、ファンカバー６に形成されて、ファンユニット４が筐体２内に配置されたときに係合片部２ｃと係合してファンユニット４を固定する。このように構成することで、ファンユニット４を筐体２内でガタなく仮固定することができる。
【００４７】
さらに、実施の形態１に係る電子機器１において、ファンカバー６は、規制片６ｇ，６ｈ，６ｉ，６ｊを備える。規制片６ｇ，６ｈ，６ｉ，６ｊは、ファンカバー６である枠体の開口の周縁部から内側へ張り出して、ファンモータ５が枠体の開口から抜ける動きを規制する。このように構成することで、ファンカバー６からファンモータ５が脱落することを防止できる。
【００４８】
さらに、実施の形態１に係る電子機器１において、ファンカバー６Ｂは、開閉部６ｂ−２に形成された規制片６ｌを有する。この規制片６ｌによって、ファンモータ５は、開閉部６ｂ−２において抜け止めされ、ファンカバー６Ｂからの脱落が防止される。
【００４９】
なお、本発明はその発明の範囲内において、実施の形態の任意の構成要素の変形、もしくは実施の形態の任意の構成要素の省略が可能である。
【符号の説明】
【００５０】
１  電子機器、２  筐体、２Ａ  底面、２ａ，２ｂ  通風口、２ｃ  係合片部、２ｄ  受け部、２ｄ−１  切り欠き部、３  天蓋、４  ファンユニット、５  ファンモータ、５ａ  モータ本体部、５ｂ  フレーム、５ｃ  リード線、５ｄ  コネクタ、６，６Ａ〜６Ｃ  ファンカバー、６ａ  切り込み部、６ｂ−１  カバー本体部、６ｂ−２  開閉部、６ｃ  底面部、６ｃ−１  切り欠き部、６ｄ，６ｍ  凸部、６ｅ  側面部、６ｆ−１  テーパ部、６ｆ−２  係合凹部、６ｇ〜６ｊ，６ｌ  規制片、６ｋ  弾性ヒンジ部。
【図１】
0006341881.tif 000002
【図２】
0006341881.tif 000003
【図３】
0006341881.tif 000004
【図４】
0006341881.tif 000005
【図５】
0006341881.tif 000006
【図６】
0006341881.tif 000007
【図７】
0006341881.tif 000008
【図８】
0006341881.tif 000009
【図９】
0006341881.tif 000010
【図１０】
0006341881.tif 000011